(57)【要約】【課題】必要な風量への追随性を最適にし、且つ、発熱部品の消費電力の情報を予め得られない発熱部品からなる実装部を最適に冷却する。【解決手段】複数の発熱部品１０２、１０４からなる実装部１１２を冷却するファンを制御するファン回転制御装置において、直流電圧電源１２０から電力を供給される各発熱部品と直流電圧電源の間の電力線に挿入され消費電力を監視する複数の消費電力監視器１２２、１２５と、複数の発熱部品の消費電力の合計とファン回転制御信号の相関を段階的に保存する消費電力・回転数相関テーブル１０５Ｂと、各前記複数の消費電力監視器からの消費電力を合計し、前記消費電力・回転数相関テーブルから、合計した消費電力に対して取り出したファン回転制御信号でファンの回転を制御するファン制御部１０５とを備える。【選択図】図１
2009231493.tif 000002
【特許請求の範囲】
【請求項１】
複数の発熱部品からなる実装部を冷却するファンを制御するファン回転制御装置において、
直流電圧電源から電力を供給される各発熱部品と直流電圧電源の間の電力線に挿入され消費電力を監視する複数の消費電力監視器と、
複数の発熱部品の消費電力の合計とファン回転制御信号の相関を段階的に保存する消費電力・回転数相関テーブルと、
各前記複数の消費電力監視器からの消費電力を合計し、前記消費電力・回転数相関テーブルから、合計した消費電力に対して取り出したファン回転制御信号でファンの回転を制御するファン制御部とを備えることを特徴とするファン回転制御装置。
【請求項２】
前記ファン制御部は、合計した消費電力の変化が大きい場合には、前記消費電力・回転数相関テーブルを参照して、一定時間毎に目標とする消費電力まで段階的にファン回転制御信号を切り替えることを特徴とする、請求項１に記載のファン回転制御装置。
【請求項３】
前記ファン制御部は、ファン回転制御信号の上方又は下降方向にヒステリシス特性を有することを特徴とする、請求項１に記載のファン回転制御装置。
【請求項４】
前記実装部の周辺に複数の発熱部品に対して複数のファンを設け、さらに、複数のファンに対応して複数の消費電力・回転数相関テーブルをそれぞれ設け、前記ファン制御部は、前記複数の省電力監視器からの消費電力を独立に管理し、複数の消費電力・回転数相関テーブルから、管理する消費電力に対して取り出したファン回転制御信号で複数のファンの各々の回転を制御することを特徴とする、請求項１に記載のファン回転制御装置。
【請求項５】
演算部から送信出力情報を入力し送信出力レベルまで増幅する増幅部の発熱部品と演算部の発熱部品からなる実装部を冷却するファンを制御するファン回転制御装置において、
直流電圧電源から電力を供給される演算部と直流電圧電源の間の電力線に挿入した演算部電力監視器と、
直流電圧電源から電力を供給される増幅部と直流電圧電源の間の電力線に挿入した増幅部電力監視器と、
演算部と増幅部の発熱部品の消費電力の合計とファン回転制御信号の相関を段階的に保存する消費電力・回転数相関テーブルと、
前記演算部電力監視器と前記増幅部電力監視器からの消費電力を合計し、前記消費電力・回転数相関テーブルから、合計した消費電力に対して取り出したファン回転制御信号でファンの回転を制御するファン制御部とを備えることを特徴とするファン回転制御装置。
【請求項６】
前記実装部の周辺に演算部及び増幅部の発熱部品の各々に対して２つのファンを設け、さらに、２つのファンに対応して２つの消費電力・回転数相関テーブルをそれぞれ設け、前記ファン制御部は、前記２つの省電力監視器からの消費電力を独立に管理し、複数の消費電力・回転数相関テーブルから、独立に管理する消費電力に対して取り出したファン回転制御信号で２つのファンの各々の回転を制御することを特徴とする、請求項５に記載のファン回転制御装置。
【請求項７】
演算部から送信出力情報を入力し送信出力レベルまで増幅する増幅部の発熱部品と演算部の発熱部品からなる実装部を冷却するファンを制御するファン回転制御方法において、
直流電圧電源から電力を供給される演算部への消費電力を監視する工程と、
直流電圧電源から電力を供給される増幅部への消費電力を監視する工程と、
消費電力とファン回転制御信号の相関を段階的に保存する消費電力・回転数相関テーブルから、演算部と増幅部への監視された消費電力の合計に対して取り出したファン回転制御信号でファンの回転を制御する工程とを備えるファン回転制御方法。
【請求項８】
演算部及び増幅部からの消費電力を独立に管理し、前記実装部の周辺に演算部及び増幅部の発熱部品の各々に対して設けられた２つのファンに対応する２つの消費電力・回転数相関テーブルから、独立に管理する消費電力に対して取り出したファン回転制御信号で２つのファンの各々の回転を制御することを特徴とする、請求項７に記載のファン回転制御方法。
【発明の詳細な説明】
【技術分野】
【０００１】
本発明は複数の発熱部品からなる実装部をファンで冷却するファン回転制御装置に関する。特に、必要な風量への追随性を最適にし、且つ、発熱部品の消費電力の情報を予め得られない発熱部品からなる実装部を冷却するファン回転制御装置及び方法に関する。
【背景技術】
【０００２】
図７は本発明の前提となる無線基地局装置の概略構成を示すブロック図である。なお、全図を通して同一の構成要素には同一の符号、記号を付する。
本図に示すように、移動体通信システムなどに用意される収容箱１１０には無線基地局装置１０１が収容され、無線基地局装置１０１には、一例として、演算部１０２、増幅部１０４を含む複数の発熱部品からなる実装部１１２が設置され、かつ、送風による強制空冷機能として温度センサ１０７、ファン制御部１０５及びファン１０９が設置される。
【０００３】
演算部１０２では上位局と接続し、処理情報１１３の授受を行い、通信する端末局（乎）の数、監視情報伝達等に対応する処理を行い、増幅部１０４に送信出力情報１０３を出力する。
増幅部１０４は入力した送信出力情報１１３に対して相応した送信出力レベルまで増幅して無線信号を送出し発熱する。
【０００４】
図８は図７における無線基地局装置のファン回転制御の動作例を説明するフローチャートである。本図に示すように、ステップＳ２０１において、実装部１１２の演算部１０２では上位局から処理情報１１３を授受し、演算部１０２から増幅部１０４に無線基地局装置１０１の運用に必要な送信出力レベルを送出するための送信出力情報１０３が出力される。
【０００５】
ステップＳ２０２において、増幅部１０４から送信出力される。これにより、実装部１１２では発熱が生じる。
ステップＳ２０３において、温度センサ１０７で温度検出が行われる。
ステップＳ２０４において、温度センサ１０７から温度情報１０６がファン制御部１０５に出力される。
【０００６】
ステップＳ２０５において、温度センサ１０７からの温度情報１０６が所定温度以下であれば、処理を終了する。
ステップＳ２０６において、所定温度以上であれば、ファン制御部１０５が温度情報１０６に応じてファン回転制御信号１０８をファン１０９に出力する。
ステップＳ２０７において、ファン１０９が回転制御信号１０８に応じて回転を行う。ステップ２０１に戻り上記処理を繰り返す。
【０００７】
要約すれば、上記のファン回転制御では、図６のようにファン制御部１０５が無線基地局装置１１０内に設置した温度センサ１０７より温度情報１０６を入力して、ファン１０９に対してファン回転制御信号１０８を出力することにより、無線基地局装置１１０の冷却を行っていた。
しかしながら、この温度センサ１０７よりの温度情報１０６を監視するファン回転制御は、図８のような動作推移を経るため、部品あるいは周辺温度が当該温度になってから冷却に必要なファン回転制御を行うというフィードバック方式となり、必要な風量への即時な追随性に関して必ずしも最適な制御ができるとは限らなかった。このため、装置の発熱量に相応したタイムラグのない冷却方法が望まれていた。
【０００８】
このように冷却に必要なファン回転制御を行うものとして、下記の特許文献に記載されるものがある。
タイムラグのない冷却を行うことができ、それによって電力消費を抑制することができる装置を提供するため、送信出力レベルとファン回転制御信号を相関テーブルに予め記憶しておき、ベースバンド部は、送信出力レベルを制御するための送信出力情報をパワーアンプ部に送出し、パワーアンプ部は、送信出力情報に相応した送信出力レベルまで送信信号を増幅し無線で送出し、ベースバンド部は、送信出力情報に従って制御された送信出力レベルの送信出力レベル情報を監視し、送信出力情報を送出するのと同時に、送信出力レベル情報をファン制御部に送出し、相関テーブルを用いて送信出力レベル情報をファン回転制御信号に変換し、ファン回転制御信号でファンを制御するものがある（例えば、特許文献１参照）。
【０００９】
しかしながら、上記特許文献１では、送信出力レベル情報をファン回転制御信号に変換し、ファン回転制御信号でファンを制御するが、送信出力レベル情報のような情報が予め得られない発熱部品を含む場合にはファンを精度よく制御することができない。
低騒音化強制冷却方法及びその装置に関し、低騒音化、低消費電力化、信頼性の向上を達成することを目的として、被冷却装置の消費電力を測定する消費電力測定手段と、消費電力に対応する被冷却装置内温度上昇分を出力する温度上昇換算手段と、環境温度測定手段と、温度上昇換算手段から出力された被冷却装置内温度上昇分と環境温度測定手段から出力された環境温度値とを加算する加算手段と、被冷却装置の温度限界値と加算手段から出力された値との差分に応じた駆動を冷却ファンに生じさせるファン駆動制御手段とを設けたものもある（例えば、特許文献２参照）。
【００１０】
しかしながら、上記特許文献２では、被冷却装置内温度上昇分と環境温度値との加算値と被冷却装置の温度限界値との差分に応じた冷却ファン制御を行うが、装置の発熱量に相応したタイムラグのない冷却ファン制御を行うものではない。
【００１１】
【特許文献１】特開２００７−２９５２４７号公報
【特許文献２】特開２００７−２０００７０号公報
【発明の開示】
【発明が解決しようとする課題】
【００１２】
したがって、本発明は上記問題点に鑑みて、必要な風量への追随性を最適にし、且つ、発熱部品の消費電力の情報を予め得られない発熱部品からなる実装部を最適に冷却するファン回転制御装置及び方法を提供することを目的とする。
【課題を解決するための手段】
【００１３】
本発明は前記問題点を解決するために、複数の発熱部品からなる実装部を冷却するファンを制御するファン回転制御装置において、直流電圧電源から電力を供給される各発熱部品と直流電圧電源の間の電力線に挿入され消費電力を監視する複数の消費電力監視器と、複数の発熱部品の消費電力の合計とファン回転制御信号の相関を段階的に保存する消費電力・回転数相関テーブルと、各前記複数の消費電力監視器からの消費電力を合計し、前記消費電力・回転数相関テーブルから、合計した消費電力に対して取り出したファン回転制御信号でファンの回転を制御するファン制御部とを備えることを特徴とするファン回転制御装置を提供する。
【００１４】
さらに、前記ファン制御部は、合計した消費電力の変化が大きい場合には、前記消費電力・回転数相関テーブルを参照して、一定時間毎に目標とする消費電力まで段階的にファン回転制御信号を切り替える。
さらに、前記ファン制御部は、ファン回転制御信号の上方又は下降方向にヒステリシス特性を有する。
【００１５】
さらに、前記実装部の周辺に複数の発熱部品に対して複数のファンを設け、さらに、複数のファンに対応して複数の消費電力・回転数相関テーブルをそれぞれ設け、前記ファン制御部は、前記複数の省電力監視器からの消費電力を独立に管理し、複数の消費電力・回転数相関テーブルから、管理する消費電力に対して取り出したファン回転制御信号で複数のファンの各々の回転を制御する。
【００１６】
さらに、本発明は、演算部から送信出力情報を入力し送信出力レベルまで増幅する増幅部の発熱部品と演算部の発熱部品からなる実装部を冷却するファンを制御するファン回転制御装置において、直流電圧電源から電力を供給される演算部と直流電圧電源の間の電力線に挿入した演算部電力監視器と、直流電圧電源から電力を供給される増幅部と直流電圧電源の間の電力線に挿入した増幅部電力監視器と、演算部と増幅部の発熱部品の消費電力の合計とファン回転制御信号の相関を段階的に保存する消費電力・回転数相関テーブルと、前記演算部電力監視器と前記増幅部電力監視器からの消費電力を合計し、前記消費電力・回転数相関テーブルから、合計した消費電力に対して取り出したファン回転制御信号でファンの回転を制御するファン制御部とを備えることを特徴とするファン回転制御装置を提供する。
【００１７】
また、前記実装部の周辺に演算部及び増幅部の発熱部品の各々に対して２つのファンを設け、さらに、２つのファンに対応して２つの消費電力・回転数相関テーブルをそれぞれ設け、前記ファン制御部は、前記２つの省電力監視器からの消費電力を独立に管理し、複数の消費電力・回転数相関テーブルから、独立に管理する消費電力に対して取り出したファン回転制御信号で２つのファンの各々の回転を制御する。
【００１８】
さらに、本発明は、演算部から送信出力情報を入力し送信出力レベルまで増幅する増幅部の発熱部品と演算部の発熱部品からなる実装部を冷却するファンを制御するファン回転制御方法において、直流電圧電源から電力を供給される演算部への消費電力を監視する工程と、直流電圧電源から電力を供給される増幅部への消費電力を監視する工程と、消費電力とファン回転制御信号の相関を段階的に保存する消費電力・回転数相関テーブルから、演算部と増幅部への監視された消費電力の合計に対して取り出したファン回転制御信号でファンの回転を制御する工程とを備えるファン回転制御方法を提供する。
【００１９】
さらに、演算部及び増幅部からの消費電力を独立に管理し、前記実装部の周辺に演算部及び増幅部の発熱部品の各々に対して設けられた２つのファンに対応する２つの消費電力・回転数相関テーブルから、独立に管理する消費電力に対して取り出したファン回転制御信号で２つのファンの各々の回転を制御する。
【発明の効果】
【００２０】
以上説明したように、本発明によれば、直流電圧電源から電力を供給される演算部への消費電力を監視し、直流電圧電源から電力を供給される増幅部への消費電力を監視し、消費電力とファン回転制御信号の相関を段階的に保存する消費電力・回転数相関テーブルから、演算部と増幅部への監視された消費電力の合計に対して取り出したファン回転制御信号でファンの回転を制御するようにしたので、ファン制御部が実装部より消費電力情報を入力して、ファンに対してファン回転制御信号を出力することにより、実装部の発熱量に相応したタイムラグのない冷却を行うことが可能となる。
【００２１】
さらに、無線基地局装置が運用に必要な演算処理量、送信出力レベルが比較的低い場合においても相応するファン回転制御を行うことで、すなわち、必要以上の無駄なファン回転制御を行わないようにしたので、経済的な電力消費が期待できる。
すなわち、必要な風量への追随性を最適にし、且つ、発熱部品の消費電力の情報を予め得られない発熱部品からなる実装部の最適な冷却を可能にする。
【発明を実施するための最良の形態】
【００２２】
以下、本発明の実施の形態について図面を参照して説明する。
図１は本発明に係る無線基地局装置の概略構成を説明するブロック図である。本図に示すように、図６と比較して、収容箱１１０内の無線基地局装置１０１の実装部１１２にはＤＣ／ＤＣコンバータ１２０、演算部電力監視器１２２、増幅部電力監視器１２５が設けられる。
【００２３】
ＤＣ／ＤＣコンバータ１２０は入力する装置電圧（図には示さず）より実装部１１２の動作に必要な電圧に変換して出力する直流電圧電源であり、一方を演算部供給電力線１２１にて演算部１０２に供給し、他方を増幅部供給電力線１２４にて増幅部１０４に供給する。
演算部供給電力線１２１上には演算部電力監視器１２２が挿入され、増幅部供給電力線１２４上には増幅部電力監視器１２５が挿入される。
【００２４】
演算部電力監視器１２２は演算部１０２の消費電力を監視し、演算部消費電力情報１２３を出力して演算部１０２に情報入力する。
増幅部電力監視器１２５は増幅部１０４の消費電力を監視し、増幅部消費電力情報１２６を出力して演算部１０２に情報入力する。
演算部１０２には消費電力管理部１０２Ａが設けられ、消費電力管理部１０２Ａは情報入力した演算部消費電力情報１２３及び増幅部消費電力情報１２６を管理し消費電力を合計し、ファン制御部１０５に消費電力情報１１１を出力する。
【００２５】
ファン制御部１０５は演算部１０２から消費電力情報１１１を入力し、消費電力情報１１１に基づきファン回転制御信号１０８をファン１０９に出力する。
また、ファン制御部１０５には消費電力・回転数相関テーブル１０５Ａが設けられ、消費電力・回転数相関テーブル１０５Ａは演算部１０２及び増幅部１０４の消費電力に対して演算部１０２及び増幅部１０４を冷却するファン１０９の回転数をテーブルにして保存する。
【００２６】
図２は図１におけるファン制御部１０５の消費電力・回転数相関テーブル１０５Ａに保存される消費電力情報１１１とファン回転制御信号１０８の相関を説明する図である。本図に示すように、発熱部品である増幅部１０４と演算部１０２の消費電力の合計である消費電力情報１１１にファン回転制御信号１０８を対応させて、例えば、消費電力ゼロＷ、１Ｗ、５Ｗ、１０Ｗ、１３Ｗ、１６Ｗ、２０Ｗに対して、回転数ゼロｒｐｍ（毎分回転数）、１０００ｒｐｍ、１５００ｒｐｍ、２０００ｒｐｍ、２５００ｒｐｍ、３０００ｒｐｍ、３５００ｒｐｍがそれぞれ保存される。
【００２７】
消費電力・回転数相関テーブル１０５Ａに保存される元情報は、実装部１１２に内包する演算部１０２の処理量及び増幅部１０４の設定バイアス値による消費電力に伴う発熱時に、実装部１１２内の部品類が熱的ダメージにより故障しない温度に相応した、ファン１０９の必要回転数であり、無線基地局装置１０１が収容箱１１０に設置される前（例えば、工場出荷時）に、あらかじめ書き込まれている。
【００２８】
消費電力・回転数相関テーブル１０５Ａについては、消費電力情報１１１の消費電力間隔を細かくすることで、さらに精度の高い（効率のよい）ファン回転制御を行うことができる。
また、例えば、ファン制御部１０５が内包するタイマの入力間隔を短くすることで、さらにタイムラグのない冷却を行うことが可能となる。
【００２９】
図３は演算部電力監視器１２２及び増幅部電力監視器１２５による消費電力処理を説明する図である。本図に示すように、ＤＣ／ＤＣコンバータ１２０の電圧をＶとし、演算部電力監視器１２２と演算部１０２の間の電圧をＶRとし、演算部電力監視器１２２自身の既知直列抵抗値をｒとし、演算部１０２の内部抵抗をＲ、演算部１０２の電流をＩとすると、演算部１０２の消費電力ＰRは、ＰR＝ＶR＊Ｉ＝（Ｖ−ＶR）２／ｒとなる。
【００３０】
増幅部電力監視器１２５についても同様である。
具体的な例について説明を行う。
ＤＣ／ＤＣコンバータ１２０は、無線基地局装置１０１に入力する電圧、例えば、ＤＣ−４８Ｖより実装部１１２の動作に必要な電圧に変換して出力し、一方の演算部供給電力線１２１に、例えば、ＤＣ＋３Ｖにて演算部１０２に供給し、他方の増幅部供給電力線１２４に、例えば、ＤＣ＋５Ｖにて増幅部１０４に供給する。
【００３１】
演算部電力監視器１２２では、内包する電位モニタ（図示しない）で、入力点の電位、例えば、ＤＣ＋３．０Ｖ及び出力点の電位、例えば、ＤＣ＋２．８Ｖを取り込み、演算部電力監視器１２２自身の既知直列抵抗値、例えば、０．０１Ωより演算部１０２の消費電力を算出する。
演算部１０２の消費電力ＰR＝（入力点の電位−出力点の電位）２／直列抵抗値
＝（３．０−２．８）２／０．０１
＝０．２２／０．０１
＝４Ｗ
となる。
【００３２】
演算部電力監視器１２２では、上記の演算結果（４Ｗ）を演算部消費電力情報１２３として出力し、演算部１０２に情報入力する。
同様に、増幅部電力監視器１２５では、内包する電位モニタ（図示しない）で、入力点の電位、例えば、ＤＣ＋５．０Ｖ及び出力点の電位、例えば、ＤＣ＋４．７Ｖを取り込み、増幅部電力監視器１２５自身の既知直列抵抗値、例えば、０．０１Ωより増幅部１０４の消費電力を算出する。
【００３３】
増幅部１０４の消費電力ＰR＝（入力点の電位−出力点の電位）２／直列抵抗値
＝（５．０−４．７）２／０．０１
＝０．３２／０．０１
＝９Ｗ
となる。
【００３４】
増幅部電力監視器１２５では、上記の演算結果（９Ｗ）を増幅部消費電力情報１２６として出力し、演算部１０２に情報入力する。
演算部１０２の消費電力管理部１０２Ａでは、入力した情報、例えば、４Ｗの演算部消費電力情報１２３、９Ｗの増幅部消費電力情報１２６を合計して１３Ｗの消費電力情報１１１をファン制御部１０５に出力する。
【００３５】
ファン制御部１０５では、１３Ｗの消費電力情報１１１を基に消費電力・回転数相関テーブル１０５Ａを参照して、２５００ｒｐｍの回転数のファン回転制御信号１０８をファン１０９に対して出力する。
ファン１０９はファン回転制御信号１０８に相応した回転動作を行う。
図４は図１におけるファン制御部１０５の制御動作例を説明するフローチャートである。本図に示すように、ファン制御部１０５では回転数相関テーブル１０５Ａを参照して、ステップＳ２１１において、入力した消費電力情報１１１から消費電力は１Ｗ未満かを判断する。
【００３６】
ステップＳ２１２において、１Ｗ未満の場合には回転数０ｒｐｍのファン回転制御信号１０８をファン１０９に出力し、処理を終了する。
ステップＳ２１３において、入力した消費電力情報１１１から消費電力は１Ｗ以上５Ｗ未満かを判断する。
ステップＳ２１４において、１Ｗ以上５Ｗ未満の場合には回転数１０００ｒｐｍのファン回転制御信号１０８をファン１０９に出力し、処理を終了する。
【００３７】
ステップＳ２１５において、入力した消費電力情報１１１から消費電力は５Ｗ以上１０Ｗ未満かを判断する。
ステップＳ２１６において、５Ｗ以下１０Ｗ未満の場合には回転数１５００ｒｐｍのファン回転制御信号１０８をファン１０９に出力し、処理を終了する。
ステップＳ２１７において、入力した消費電力情報１１１から消費電力は１３Ｗ以下かを判断する。
【００３８】
ステップＳ２１８において、１０Ｗ以上１３Ｗ未満の場合には回転数２０００ｒｐｍのファン回転制御信号１０８をファン１０９に出力し、処理を終了する。
ステップＳ２１９において、入力した消費電力情報１１１から消費電力は１３Ｗ以上１６Ｗ未満かを判断する。
ステップＳ２２０において、１３Ｗ以上１６Ｗ未満の場合には回転数２５００ｒｐｍのファン回転制御信号１０８をファン１０９に出力し、処理を終了する。
【００３９】
ステップＳ２２１において、入力した消費電力情報１１１から消費電力は１６Ｗ以上２０Ｗ未満かを判断する。
ステップＳ２１８において、１６Ｗ以上２０Ｗ未満の場合には回転数３０００ｒｐｍのファン回転制御信号１０８をファン１０９に出力し、処理を終了する。必要に応じて以上の処理を継続する。
【００４０】
したがって、本発明によれば、ファン制御部１０５が実装部１１２より消費電力情報１１１を入力して、ファン１０９に対してファン回転制御信号１０８を出力することにより、実装部１１２の発熱量に相応したタイムラグのない冷却を行うことが可能となる。
さらに、無線基地局装置１０１が運用に必要な演算処理量、送信出力レベルが比較的低い場合においても相応するファン回転制御を行うことで、すなわち、必要以上の無駄なファン回転制御を行わないようにしたので、経済的な電力消費が期待できる。
【００４１】
すなわち、必要な風量への追随性を最適にし、且つ、発熱部品の消費電力の情報を予め得られない発熱部品からなる実装部の最適な冷却を可能にする。
【実施例１】
【００４２】
以上の説明では、実装部１１２内の発熱源を増幅部１０４、演算部１０２の２つの部品としたが、２つに限らず、一般的には複数の発熱部品であってもよい。
さらに、消費電力管理部１０２Ａは、演算部１０２に代わり、ファン制御部１０５に設けられるようにしてもよい。
【実施例２】
【００４３】
図５は図１におけるファン制御部１０５の動作例を説明する図である。本図に示すように、ファン制御部１０５は回転数の大きいファン回転制御信号１０８をファン１０９に対して出力する場合には一定の時間毎に段階的に回転数を上げる。例えば、前述した消費電力１３Ｗの回転数２５００ｒｐｍを目標として、消費電力０Ｗの回転数０ｒｐｍから上がる場合には、最初の１０秒で、１０００ｒｐｍに上げ、次の１０秒で１５００ｒｐｍに上げ、次の１０秒で２０００ｒｐｍに上げ、次の１０秒で２５００ｒｐｍに挙げるようにファン回転制御信号１０８を段階的に切り替える。消費電力が下がる場合も同様である。
【００４４】
このようにして、消費電力情報１１１の大きな変化に対してファン１０９の回転数が急変しないようにし、ファン１０９のファン回転制御が円滑に、且つ、ファン１０９自体の故障も低減することを可能にする。
【実施例３】
【００４５】
さらに、ファン制御部１０５はファン回転制御信号１０８によるファン１０９の回転数が急変する場合には、上昇／下降方向に対応したヒステリシスを持たせるようにしてもよい。これにより、ファン１０９の回転数制御が円滑になり、且つ、ファン１０９自体の故障も低減する。
【実施例４】
【００４６】
図６は図１の変形例であり、本発明に係る無線基地局装置の概略構成を説明するブロック図である。本図に示すように、図１と比較して、無線基地局装置１０１内に２つのファン１０９Ａ、１０９Ｂが設けられ、ファン１０９Ａ、１０９Ｂは実装部１１２内の演算部１０２と増幅部１０４が比較的に離れた位置にある場合、それぞれ個別に冷却を行う。
ファン制御部１０５には消費電力・回転数相関テーブル１０５Ｂ及び１０５Ｃが設けられ、回転数相関テーブル１０５Ｂ及び１０５Ｃは演算部１０２及び増幅部１０４の消費電力に対して演算部１０２及び増幅部１０４をそれぞれ冷却するファン１０９Ａ及び１０９Ｂの回転数をテーブルにしてそれぞれ保存する。
【００４７】
演算部１０２の消費電力管理部１０２Ａは演算部消費電力情報１２３及び増幅部消費電力情報１２６を独立して管理し、回転数相関テーブル１０５Ｂ及び消費電力・回転数相関テーブル１０５Ｃを参照して、ファン１０９Ａ及び１０９Ｂに対してファン回転制御信号１０８Ａ及びファン回転制御信号１０８Ｂを出力する。
これにより、実装部１１２内の複数の発熱源の配置をも考慮して、複数のファンを配置して、配置が異なる発熱源の消費電力に応じてそれぞれ冷却を行うので、さらに、精度の高い冷却を行うことが可能となり、経済的な電力消費が期待できる。
【図面の簡単な説明】
【００４８】
【図１】本発明に係る無線基地局装置の概略構成を説明するブロック図である。
【図２】図１におけるファン制御部１０５の消費電力・回転数相関テーブル１０５Ａに保存される消費電力情報１１１とファン回転制御信号１０８の相関を説明する図である。
【図３】演算部電力監視器１２２及び増幅部電力監視器１２５による消費電力処理を説明する図である。
【図４】図１におけるファン制御部１０５の制御動作例を説明するフローチャートである。
【図５】図１におけるファン制御部１０５の動作例を説明する図である。
【図６】図１の変形例であり、本発明に係る無線基地局装置の概略構成を説明するブロック図である。
【図７】本発明の前提となる無線基地局装置の概略構成を示すブロック図である。
【図８】図６における無線基地局装置のファン回転制御の動作例を説明するフローチャートである。
【符号の説明】
【００４９】
１０１…無線基地局装置
１０２…演算部
１０２Ａ…消費電力管理部
１０３…送信出力情報
１０４…増幅部
１０５…ファン制御部
１０５Ａ、１０５Ｂ、１０５Ｃ…消費電力・回転数相関テーブル
１０６…温度情報
１０７…温度センサ
１０８…ファン回転制御信号
１０９、１０９Ａ、１０９Ｂ…ファン
１１０…収容箱
１１１…消費電力情報
１１２…実装部
１１３…処理情報
１２０…ＤＣ／ＤＣコンバータ
１２１…演算部供給電力線
１２２…演算部電力監視器
１２３…演算部消費電力情報
１２４…増幅部供給電力線
１２５…増幅部電力監視器
１２６…増幅部消費電力情報
【図１】
2009231493.tif 000003
【図２】
2009231493.tif 000004
【図３】
2009231493.tif 000005
【図４】
2009231493.tif 000006
【図５】
2009231493.tif 000007
【図６】
2009231493.tif 000008
【図７】
2009231493.tif 000009
【図８】
2009231493.tif 000010